(57)【要約】【課題】外観デザインを美麗にするグラデーションを有するディスプレイフィルタおよび保護ケースを提供する。【解決手段】本発明のディスプレイフィルタは、ベース基材と、ベース基材の縁領域にディスプレイモジュールから放出される画面光を遮断する光遮断物質が形成されてベース基材の有効画面部領域を決定し、光遮断物質が形成される縁領域内の少なくとも一部分の明度が一定方向に漸進的に暗くなるように形成される光遮断部を含む。【選択図】図２
2011018044.tif 000002
【特許請求の範囲】
【請求項１】
ディスプレイモジュールが内蔵されたディスプレイ装置に使用されるグラデーションを有するディスプレイフィルタにおいて、
前記ディスプレイフィルタは、
ベース基材と、
前記ベース基材の縁領域に光を遮断する光遮断物質が形成されて前記ベース基材の有効画面部領域を決定し、少なくとも一部分が一定方向に漸進的に暗くなるように形成される光遮断部と、
を含むことを特徴とする、グラデーションを有するディスプレイフィルタ。
【請求項２】
前記光遮断部は、
前記少なくとも一部分が前記有効画面部領域から近づくほど漸進的に暗くなるように形成されることを特徴とする、請求項１に記載のグラデーションを有するディスプレイフィルタ。
【請求項３】
前記光遮断部は、
前記少なくとも一部分が前記有効画面部領域から離れるほど漸進的に暗くなるように形成されることを特徴とする、請求項１に記載のグラデーションを有するディスプレイフィルタ。
【請求項４】
前記光遮断物質は、多数の円または多角形形態の図形をなし、
前記多数の図形は、前記有効画面部領域に近づくか離れる方向に沿って、
隣り合う２つの図形の中心Ｃ１，Ｃ２間の距離が、前記２つの図形の中心Ｃ１，Ｃ２を連結した線分と２つの図形とが交わる２つの地点Ｐ１，Ｐ２から２つの地点Ｐ１，Ｐ２が含まれた図形の中心Ｃ１，Ｃ２までの距離の和よりも大きい第１の図形群と、
隣り合う２つの図形の中心Ｃ１，Ｃ２間の距離が、２つの図形が接する接点Ｐ１から２つの図形の中心Ｃ１，Ｃ２までの距離の和と等しい第２の図形群と、
隣り合う２つの図形の中心Ｃ１，Ｃ２間の距離が、前記２つの図形の中心Ｃ１，Ｃ２を連結した線分と２つの図形とが交わる２つの地点Ｐ１，Ｐ２から２つの地点Ｐ１，Ｐ２が含まれた図形の中心Ｃ１，Ｃ２までの距離の和よりも小さい第３の図形群と、
を含むことを特徴とする、請求項１ないし請求項３のいずれか一項に記載のグラデーションを有するディスプレイフィルタ。
【請求項５】
前記隣り合う２つの図形の中心Ｃ１，Ｃ２間の距離は、前記第１ないし第３の図形群においてすべて等しいことを特徴とする、請求項４に記載のグラデーションを有するディスプレイフィルタ。
【請求項６】
前記光遮断物質は、多数の円または多角形形態のブランク図形を形成し、
前記多数のブランク図形は、前記有効画面部領域に近づくか離れる方向に沿って、
隣り合う２つのブランク図形の中心Ｃ１，Ｃ２間の距離が、前記２つのブランク図形の中心Ｃ１，Ｃ２を連結した線分と２つのブランク図形とが交わる２つの地点Ｐ１，Ｐ２から２つの地点Ｐ１，Ｐ２が含まれたブランク図形の中心Ｃ１，Ｃ２までの距離の和よりも大きい第１のブランク図形群と、
隣り合う２つのブランク図形の中心Ｃ１，Ｃ２間の距離が、２つのブランク図形が接する接点Ｐ１から２つのブランク図形の中心Ｃ１，Ｃ２までの距離の和と等しい第２のブランク図形群と、
隣り合う２つのブランク図形の中心Ｃ１，Ｃ２間の距離が、前記２つのブランク図形の中心Ｃ１，Ｃ２を連結した線分と２つのブランク図形とが交わる２つの地点Ｐ１，Ｐ２から２つの地点Ｐ１，Ｐ２が含まれたブランク図形の中心Ｃ１，Ｃ２までの距離の和よりも小さい第３のブランク図形群と、
を含むことを特徴とする、請求項１ないし請求項３のいずれか一項に記載のグラデーションを有するディスプレイフィルタ。
【請求項７】
前記隣り合う２つのブランク図形の中心Ｃ１，Ｃ２間の距離は、前記第１ないし第３のブランク図形群においてすべて等しいことを特徴とする、請求項６に記載のグラデーションを有するディスプレイフィルタ。
【請求項８】
前記光遮断物質は、ブラックセラミック物質であることを特徴とする、請求項１に記載のグラデーションを有するディスプレイフィルタ。
【請求項９】
前記ディスプレイフィルタは、前記縁領域内に色調層をさらに含むが、
前記色調層は、色補正色素、ネオンカット色素、近赤外線遮蔽色素および蓄光物質のうち少なくとも一つを含むことを特徴とする、請求項１に記載のグラデーションを有するディスプレイフィルタ。
【請求項１０】
前記ディスプレイフィルタは、透明支持体をさらに含み、
前記色調層は、前記透明支持体上に形成され、
前記透明支持体と前記色調層は、色調フィルムをなすことを特徴とする、請求項９に記載のグラデーションを有するディスプレイフィルタ。
【請求項１１】
前記色調層は、前記透明支持体に粘着され、
前記色補正色素、ネオンカット色素、近赤外線遮蔽色素および蓄光色素のうち少なくとも一つを含む感圧粘着層（ＰＳＡ）であることを特徴とする、請求項１０に記載のグラデーションを有するディスプレイフィルタ。
【請求項１２】
前記ベース基材は、ガラスまたは透明高分子のいずれか一つからなることを特徴とする、請求項１に記載のグラデーションを有するディスプレイフィルタ。
【請求項１３】
ディスプレイモジュールとディスプレイフィルタが内蔵されたディスプレイ装置に使用されるグラデーションを有する保護ケースにおいて、
前記保護ケースは、
前記ディスプレイ装置の前面フレームをなすベゼルと、
前記ベゼルに光遮断物質が形成されて前記ディスプレイフィルタの有効画面部領域を決定し、少なくとも一部分が一定方向に漸進的に暗くなるように形成される光遮断部と
を含むことを特徴とする、グラデーションを有する保護ケース。
【請求項１４】
前記光遮断部は、
前記少なくとも一部分が前記有効画面部領域に近づくほど漸進的に暗くなるように形成されることを特徴とする、請求項１３に記載のグラデーションを有する保護ケース。
【発明の詳細な説明】
【技術分野】
【０００１】
本発明は、平板ディスプレイ装置に係り、より詳しくは、グラデーションを有するディスプレイフィルタおよび保護ケースに関する。
【背景技術】
【０００２】
現代社会が高度に情報化されていくにつれ、光エレクトロニクス（ｐｈｏｔｏｅｌｅｃｔｒｏｎｉｃｓ）関連部品および機器が著しく進歩し、普及されている。その中でも、画像を表示するディスプレイ装置は、テレビ装置用、パーソナルコンピュータのモニタ装置用などとして著しく普及しており、また、こうしたディスプレイ装置の大型化とともに薄型化が進んでいる。
【０００３】
一般的に、プラズマディスプレイ（ＰＤＰ）装置は、ガス放電現象を利用して画像を表示するものであり、表示容量、輝度、コントラスト、残像、視野角などの各種表示能力に優れている。また、プラズマディスプレイ（ＰＤＰ）装置は、他の表示装置に比べて大型化および薄型化が容易である。
【０００４】
しかしながら、プラズマディスプレイ（ＰＤＰ）装置は、その駆動特性上、電磁波および近赤外線の放出量が多く、放出されるオレンジ色ネオン光によって色純度が陰極線管装置に及ばないという短所がある。これを改善するために、プラズマディスプレイ（ＰＤＰ）装置は、電磁波および近赤外線を遮蔽するとともに、色純度を向上させる目的で、電磁波遮蔽、近赤外線遮蔽および／または色純度改善などの機能を有する光学フィルムなどで構成されたディスプレイフィルタを採用している。
【０００５】
一方、現在のフラットパネルディスプレイ装置の開発および生産動向を見てみると、各生産業者において品質改善に注力していたのに比べ、最近では、品質水準の上方平準化により外観デザインがディスプレイ装置の市場競争力を左右する主要要因として浮上している。そこで、各生産業者においては、製品デザイン強化を通じて、製品および企業に対する顧客認知度ならびに購買力を向上させる多様な方案が研究されている。
【発明の概要】
【発明が解決しようとする課題】
【０００６】
本発明は、上記のような背景から提案されたものであり、本発明の目的は、光学特性を向上させるとともに外観デザインを美麗にするグラデーションを有するディスプレイフィルタおよび保護ケースを提供することである。
【課題を解決するための手段】
【０００７】
上記のような目的を達成するために、本発明の一態様に係るグラデーションを有するディスプレイフィルタは、ベース基材と、ベース基材の縁領域にディスプレイモジュールから放出される画面光を遮断する光遮断物質が形成されてベース基材の有効画面部領域を決定し、光遮断物質が形成される縁領域内の少なくとも一部分の明度が一定方向に漸進的に暗くなるように形成される光遮断部を含む。
【０００８】
また、本発明の付加的な態様によると、上記ベース基材の有効画面部領域を遮らない範囲内で色素を含む色素フィルムをさらに含むことを特徴とする。
【０００９】
また、本発明の他の態様に係るグラデーションを有する保護ケースは、保護ケースのベゼルにディスプレイモジュールから放出される画面光を遮断する光遮断物質が形成されてディスプレイフィルタの有効画面部領域を決定し、光遮断物質が形成されるベゼル内の少なくとも一部分の明度が一定方向に漸進的に暗くなるように形成される光遮断部を含む。
【発明の効果】
【００１０】
上記構成によると、本発明に係るディスプレイフィルタは、ベース基材の縁領域に形成される光遮断物質が、光遮断面が形成される縁領域内の少なくとも一部分の明度が一定方向に漸進的に暗くなるように形成されることにより、ディスプレイ装置に装着されて装置の外観デザインを美麗にし、且つ光学特性を向上させるという有用な効果がある。
【００１１】
また、本発明に係る保護ケースは、ベゼル内の少なくとも一部分の明度が一定方向に漸進的に暗くなるように形成されることにより、ディスプレイ装置に装着されて装置の外観デザインを美麗にするという有用な効果がある。
【図面の簡単な説明】
【００１２】
【図１】本発明の一実施例に係るプラズマディスプレイ（ＰＤＰ）用フィルタを図示した一例である。
【図２】本発明の一実施例に係るプラズマディスプレイ（ＰＤＰ）の正面を図示したものである。
【図３】図３ａ、図３ｂは、本発明の一実施例に係る光遮断部１１３の一部拡大図である。
【図４】図４ａ、図４ｂ、図４ｃは、本発明に係る光遮断部１１３のグラデーションを説明するための例示図である。
【図５】図５ａ、図５ｂは、本発明の他の実施例に係る光遮断部１１３の一部拡大図である。
【図６】図２に係るＡ−Ａ断面図である。
【発明を実施するための形態】
【００１３】
以下、添付された図面を参照しながら、前述した態様、そして追加的な態様を記述した好ましい実施例を通じ、本発明を当業者が容易に理解して再現することができるよう、詳細に説明することとする。
【００１４】
本明細書において、グラデーション（ｇｒａｄａｔｉｏｎ）は、同一または互いに異なる図形の配列を通じて明度の変化が表現された構造を意味する。また、明度とは、色の明暗の程度を意味する。
【００１５】
図１は、本発明の一実施例に係るプラズマディスプレイ（ＰＤＰ）用フィルタを図示したものである。図示したところのように、本実施例に係るディスプレイフィルタは、大きく分けて、反射防止フィルム１１１と、ベース基材１１２と、光遮断部１１３と、電磁波遮蔽フィルム１１４と、近赤外線遮蔽フィルム１１５と、色補正フィルム１１６とを含む。ここで、参照符号２００は、駆動回路基板と、第１基板、第２基板および放電セルを含むディスプレイモジュールである。
【００１６】
反射防止フィルム１１１は、視聴者方向から入射する外光が再び外へ反射することを防止して、プラズマディスプレイ（ＰＤＰ）装置の明暗比を向上させる。反射防止フィルム１１１は、可視領域において屈折率が１．５以下、好ましくは１．４以下の低いフッ素系透明高分子樹脂やフッ化マグネシウム、シリコン系樹脂や酸化ケイ素の薄膜などを、たとえば１／４波長の光学膜厚で単一層フィルムとして形成されたものを使用することができる。また、反射防止フィルム１１１は、屈折率の異なる金属酸化物、フッ化物、ケイ化物、ホウ化物、炭化物、窒化物、硫化物などの無機化合物またはシリコン系樹脂やアクリル樹脂、フッ素系樹脂などの有機化合物の薄膜を２層以上に多層積層した構造で具現することができる。
【００１７】
ベース基材１１２は、ディスプレイモジュール２００を保護する。ベース基材１１２は、ガラスまたは透明高分子で具現することができる。透明高分子は、ポリエチレンテレフタレート（ＰｏｌｙＥｔｙｌｅｎｅ  Ｔｅｒｅｐｈｔｈａｌａｔｅ，ＰＥＴ）、アクリル（Ａｃｒｙｌ）、ポリカーボネート（ＰｏｌｙＣａｂｏｎａｔｅ，ＰＣ）、ウレタンアクリレート（Ｕｒｅｔｈａｎｅ  Ａｃｒｙｌａｔｅ）、ポリエステル（Ｐｏｌｙｅｓｔｅｒ）、エポキシアクリレート（Ｅｐｏｘｙ  Ａｃｒｙｌａｔｅ）、臭素化アクリレート（Ｂｒｏｍｉｎａｔｅ  Ａｃｒｙｌａｔｅ）、ポリ塩化ビニル（ＰｏｌｙＶｉｎｙｌ  Ｃｈｌｏｒｉｄｅ，ＰＶＣ）などで具現することができる。
【００１８】
光遮断部１１３は、ディスプレイモジュール２００から放出される画面光を遮断する。光遮断部１１３は、ベース基材１１２の縁領域に形成される光遮断物質で具現される。光遮断部１１３は、一例として、１平方インチ当たりの目数が２５０〜４５００目のシルクスクリーンにグラデーションを形成した後、光遮断物質、たとえばブラックセラミックを印刷して、熱処理工程によって焼成することにより、ベース基材１１２に形成することができる。光遮断部１１３は、ベース基材１１２の縁に沿って形成され、有効画面部領域を決定する。
【００１９】
一例として、光遮断部１１３は、ベース基材１１２の縁に沿ってブラックを目立つように形成することにより、プラズマディスプレイ（ＰＤＰ）の外観視感性を高めつつ画面の輪郭が際立つようにする。好ましくは、光遮断部１１３は、光遮断物質が形成される縁領域の明度が有効画面部領域に近づくほど漸進的に暗くなるように形成する。以下、光遮断部１１３の構造については、図３ａないし図５ｂを参照しつつ後述することとする。
【００２０】
電磁波遮蔽フィルム１１４は、ディスプレイモジュール２００から放出される、人体に有害な影響を与える電磁波（ＥＭＩ）を遮断する。電磁波遮蔽フィルム１１４は、導電性メッシュフィルム、または金属薄膜と高屈折率透明薄膜を積層した多層透明導電膜によって具現することができる。たとえば、金属薄膜は、金、銀、銅、パラジウムなどで具現することができ、高屈折率を有する透明薄膜は、酸化インジウム、酸化錫、酸化亜鉛などで具現することができる。多層透明導電膜は、近赤外線を遮断する機能を有する。したがって、多層透明導電膜が電磁波遮蔽フィルム１１４として使用される場合、本発明のディスプレイフィルタは、近赤外線（ＮＩＲ）遮蔽フィルムがなくとも、電磁波（ＥＭＩ）だけでなく近赤外線（ＮＩＲ）を遮蔽することができる。
【００２１】
近赤外線（ＮＩＲ）遮蔽フィルム１１５は、無線電話機やリモコンなどの電子機器の誤動作を引き起こす近赤外線（ＮＩＲ）を遮蔽する。近赤外線遮蔽フィルム１１５は、近赤外線（ＮＩＲ）を吸収する近赤外線吸収物質を含む。近赤外線吸収物質は、たとえば、ニッケル錯体系とジイモニウム系の混合色素、銅イオンと亜鉛イオンを含有する化合物色素、シアニン系色素、アントラキノン系色素、スクアリリウム系、アゾメチン系、オキソノール、アゾ系またはベンジリデン系化合物から選択することができる。
【００２２】
色補正フィルム１１６は、ディスプレイの色再現範囲を増加させ、画面の鮮明度を向上させる。色補正フィルム１１６は、赤色（Ｒ）、緑色（Ｇ）、青色（Ｂ）の量を減少させたり調節して色均衡を変化させたり矯正する。また、プラズマディスプレイパネル（ＰＤＰ）装置は、赤い色の可視光線がオレンジ色で現れる傾向があるが、色補正フィルムは、ネオンカット色素を含めて、オレンジ色ネオン光を吸収することができる。
【００２３】
図２は、本発明の一実施例に係るプラズマディスプレイ（ＰＤＰ）の 正面を図示したものである。図示したところのように、プラズマディスプレイ（ＰＤＰ）は、ベース基材１１２の縁領域に形成される光遮断部１１３によって有効画面部領域の輪郭が際立つ。
【００２４】
以下、光遮断部１１３の構造を、図３ａないし図５ｂを参照しつつ説明することとする。
【００２５】
図３ａ、図３ｂは、本発明の一実施例に係る光遮断部１１３の一部拡大図であり、図４ａ、図４ｂ、図４ｃは、本発明に係る光遮断部１１３のグラデーションを説明するための例示図である。
【００２６】
まず、図３ａ、図３ｂを参照しつつ説明すると、ベース基材１１２の縁領域に形成される光遮断物質４１１は、ベース基材１１２に円形態のブランク（ｂｌａｎｋ）図形構造を形成する。もちろん、本発明は、円形態に限定されるものではなく、三角形、四角形、五角形など多角形形態のブランク図形構造も可能である。一例として、ブランク図形構造は、ベース基材１１２の縁に対して垂直方向に一列に配列され、ブランク図形の中心を連結した中心線Ｌ１，Ｌ２は、直線をなすように形成される。
【００２７】
図４ａ、図４ｂ、図４ｃに図示したところのように、光遮断物質４１１によってベース基材１１２に形成される円形態のブランク図形構造は、大きく３つの種類のブランク図形群によって具現することができる。
【００２８】
図４ａに図示されたところのように、第１のブランク図形群は、隣り合う２つのブランク図形の中心Ｃ１，Ｃ２間の距離が、２つのブランク図形と２つのブランク図形の中心Ｃ１，Ｃ２とを連結した線分が交わる２つの地点Ｐ１，Ｐ２から２つの地点Ｐ１，Ｐ２が含まれたブランク図形の中心Ｃ１，Ｃ２までの距離の和よりも大きいブランク図形からなる。
【００２９】
図４ｂに図示されたところのように、第２のブランク図形群は、隣り合う２つのブランク図形の中心Ｃ１，Ｃ２間の距離が、２つのブランク図形が接する接点Ｐ１から２つのブランク図形の中心Ｃ１，Ｃ２までの距離の和と等しいブランク図形からなる。
【００３０】
図４ｃに図示されたところのように、第３のブランク図形群は、隣り合う２つのブランク図形の中心Ｃ１，Ｃ２間の距離が、２つの地点Ｐ１，Ｐ２から２つの地点Ｐ１，Ｐ２が含まれたブランク図形の中心Ｃ１，Ｃ２までの距離の和よりも小さいブランク図形からなる。
【００３１】
一実施例において、光遮断物質４１１によってベース基材１１２に形成される円形態のブランク図形構造は、隣り合う２つのブランク図形の中心線Ｌ１，Ｌ２間の距離が、隣り合う２つのブランク図形の中心Ｃ１，Ｃ２間の距離と等しくなるように具現することができる。また、他の実施例において、隣り合う２つのブランク図形の中心Ｃ１，Ｃ２間の距離は、第１ないし第３のブランク図形群においてすべて等しくなるように具現することができる。
【００３２】
図５ａ、図５ｂは、本発明の他の実施例に係る光遮断部１１３の一部拡大図である。
【００３３】
本実施例に係る光遮断部１１３は、ベース基材１１２の縁領域に形成される光遮断物質４１１が円形態の図形構造を有するように形成する。もちろん、本発明は、円形態に限定されるものではなく、三角形、四角形、五角形など多角形形態の図形構造も可能である。一例として、光遮断物質４１１からなる多数の図形は、縁に対して垂直方向に一列に配列され、ブランク図形の中心を連結した中心線Ｌ１，Ｌ２は、直線をなすように形成される。
【００３４】
図５ａ、図５ｂに図示したところのように、本発明の他の実施例に係る光遮断部１１３は、図４ａ、図４ｂ、図４ｃにおけるブランク円内部に光遮断物質４１１が形成されるものであり、円形態の図形構造は、大きく３つの種類の図形群によって具現することができる。
【００３５】
第１の図形群は、隣り合う２つの図形の中心Ｃ１，Ｃ２間の距離が、２つの図形と２つの図形との中心Ｃ１，Ｃ２を連結した線分が交わる２つの地点Ｐ１，Ｐ２から２つの地点Ｐ１，Ｐ２が含まれた図形の中心Ｃ１，Ｃ２までの距離の和よりも大きな図形からなる。
【００３６】
第２の図形群は、隣り合う２つの図形の中心Ｃ１，Ｃ２間の距離が、２つの図形が接する接点Ｐ１から２つの図形の中心Ｃ１，Ｃ２までの距離の和と等しい図形からなる。
【００３７】
第３の図形群は、隣り合う２つの図形の中心Ｃ１，Ｃ２間の距離が、上記２つの地点Ｐ１，Ｐ２から２つの地点Ｐ１，Ｐ２が含まれた図形の中心Ｃ１，Ｃ２までの距離の和よりも小さい図形からなる。
【００３８】
一実施例において、光遮断物質４１１からなる円形態の図形構造は、隣り合う２つの図形の中心線Ｌ１，Ｌ２間の距離が、隣り合う２つの図形の中心Ｃ１，Ｃ２間の距離と等しくなるように具現することができる。また、他の実施例において、隣り合う２つの図形の中心Ｃ１，Ｃ２間の距離は、第１ないし第３の図形群においてすべて等しくなるように具現することができる。
【００３９】
図６は、図２に係るＡ−Ａ断面図である。
【００４０】
図示したところのように、本発明に係るグラデーションを有するディスプレイフィルタは、ベース基材１１２に光遮断部１１３が形成され、かつ、本発明の付加的な態様により、色調フィルム６１０をさらに含んで具現することができる。
【００４１】
色調フィルム６１０は、ベース基材１１２の非有効画面部領域、すなわち有効画面部領域を遮らない範囲内で色相を含み、視聴者に付加的な視感性を与える役割をする。色調フィルム６１０は、光遮断部１１３の一部分、たとえば図４ｃに図示されたところのように、隣り合う２つのブランク図形の中心Ｃ１，Ｃ２間の距離が、上記２つの地点Ｐ１，Ｐ２から２つの地点Ｐ１，Ｐ２が含まれたブランク図形の中心Ｃ１，Ｃ２までの距離の和よりも小さいブランク図形からなる部分に形成することができる。
【００４２】
一実施例において、色調フィルム６１０は、透明支持体６１２と、上記透明支持体に粘着され、調色用色素、ネオンカット色素、近赤外線遮蔽色素または蓄光物質のうち少なくとも一つを含む感圧粘着層（ＰＳＡ）６１１を含んで具現することができる。一例として、透明支持体６１２は、ポリエチレンテレフタレート（ＰｏｌｙＥｔｙｌｅｎｅ  Ｔｅｒｅｐｈｔｈａｌａｔｅ，ＰＥＴ）フィルムまたはトリアセチルセルロース（Ｔｒｉａｃｅｔａｔｅ  Ｃｅｌｌｕｌｏｓｅ，ＴＡＣ）フィルムといった透明高分子フィルムで具現することができる。
【００４３】
ここで、蓄光物質とは、光を吸収すると電子が励起状態となり、励起状態の電子は、光が除去された後もすぐに基底状態に下がらず、まず準安定状態に変わってからまた基底状態へと戻りつつ光を放出する物質である。このような蓄光物質としては、放出される色により、緑色蓄光物質、青色蓄光物質、赤色蓄光物質に大きく分類される。蓄光物質は、ガラス、高分子樹脂、ＰＥＴなどのナノパウダーを混合して具現が可能である。蓄光物質は、暗い領域で短時間および長時間光放出の維持が可能であり、また、物質成分によって光放出時間の調節が可能である。
【００４４】
他の実施例において、色調フィルム６１０は、透明支持体６１２と、上記透明支持体に形成されるが、調色用色素、ネオンカット色素、近赤外線遮蔽色素または蓄光物質のうち少なくとも一つを含む色調層（図示せず）と、上記色調層に粘着される感圧粘着層（ＰＳＡ）６１１をさらに含むことができる。色調フィルム６１０は、蓄電光物質を含めて、暗い所でほのかな色を発散してまた別の雰囲気を演出することができる。
【００４５】
さらに、他の実施例において、透明支持体の支持や粘着層の粘着なしに、色調層のみを形成することも可能である。
【００４６】
ここまで、本明細書では、色調フィルム６１０が光遮断部１１３に形成されることを例示して説明したが、本発明は、これに限定されるものでなく、反射防止フィルム（図１の参照符号１１１）、ベース基材（図１の参照符号１１２）、電磁波遮蔽フィルム（図１の参照符号１１４）、近赤外線遮蔽フィルム（図１の参照符号１１５）、色補正フィルム（図１の参照符号１１６）などに形成することができる。
【００４７】
また、光遮断物質がディスプレイフィルタのベース基材にのみ形成されることを例示して説明したが、本発明は、これに限定されるものでなく、フラットパネルディスプレイ装置に使用される保護ケースまたは反射防止フィルム（図１の参照符号１１１）、電磁波遮蔽フィルム（図１の参照符号１１４）、近赤外線遮蔽フィルム（図１の参照符号１１５）、色補正フィルム（図１の参照符号１１６）に光遮断物質を形成することができる。一例として、保護ケースは、前面フレームをなすベゼルに光遮断物質が形成されてディスプレイフィルタの有効画面部領域を決定し、かつ、光遮断物質が形成されるベゼル内の少なくとも一部分の明度が一定方向に漸進的に暗くなるように形成される光遮断部を形成することができる。保護ケースに形成される光遮断部の構造は、図３ａないし図５ｂを参照しつつ前述したところのように具現することができる。
【００４８】
また、本発明に係るディスプレイフィルタに適用されたディスプレイ装置として、プラズマディスプレイパネル（ＰＤＰ）装置のみを言及したが、液晶ディスプレイ（ＬＣＤ）装置、有機電界発光ディスプレイ（Ｏｒｇａｎｉｃ  Ｅｌｅｃｔｒｏｌｕｍｉｎｅｓｃｅｎｔ  Ｄｉｓｐｌａｙ；ＯＥＬＤ）装置、情報ディスプレイ（Ｄｉｇｉｔａｌ  Ｉｎｆｏｒｍａｔｉｏｎ  Ｄｉｓｐｌａｙ；ＤＩＤ）装置にも、本発明に係るグラデーションを有するディスプレイフィルタを適用することができる。
【００４９】
ここまで、本明細書では、本発明の属する技術分野において通常の知識を有する者が本発明を容易に理解して再現できるよう、図面に図示した実施例を参考に説明されたが、これは例示的なものに過ぎず、当該技術分野において通常の知識を有する者であれば、本発明の各実施例から多様な変形および均等な他の実施例が可能であるという点が理解できよう。したがって、本発明の真の技術的保護範囲は、添付の特許請求の範囲によってのみ定められるべきである。
【符号の説明】
【００５０】
１１１  反射防止フィルム
１１２  ベース基材
１１３  光遮断部
１１４  電磁波遮蔽フィルム
１１５  近赤外線遮蔽フィルム
１１６  色補正フィルム
２００  ディスプレイモジュール
４１１  光遮断物質
６１０  色調フィルム
６１１  減圧粘着層
６１２  透明支持体
【図１】
2011018044.tif 000003
【図２】
2011018044.tif 000004
【図３】
2011018044.tif 000005
【図４】
2011018044.tif 000006
【図５】
2011018044.tif 000007
【図６】
2011018044.tif 000008